(57)【特許請求の範囲】
【請求項１】
ネットワークを介して音声パケットを時系列に受信するパケット受信装置を備えた音声パケット通信の品質評価システムにおいて、
前記パケット受信装置は、
前記ネットワークの状態変動に応じた不均一な時間間隔で受信される時系列な音声パケットを、所定の時間間隔で出力するパケット間隔調整手段と、
当該パケット間隔調整手段における音声パケットの受信状況を示す、複数種類の受信状況情報を出力する受信状況検出手段と、
複数種類の前記受信状況情報を利用して、音声パケット通信の品質を評価するための１つの品質評価指標を形成して出力する品質評価実行手段を備えることを特徴とする音声パケット通信の品質評価システム。
【請求項２】
請求項１に記載した音声パケット通信の品質評価システムにおいて、
前記パケット間隔調整手段は、
前記ネットワークから時系列に受信される音声パケットを用いて待ち行列を形成しておき、所定の時間間隔で音声パケットを出力することによって当該待ち行列を処理する待ち行列処理部と、
前記ネットワークから時系列に受信される音声パケットの遅延が所定の遅延時間を超えて当該待ち行列が消滅することが予測される場合に、受信される音声パケット系列の中に所定の音声データを収容している代替音声パケットを挿入して当該消滅を防ぐ代替音声パケット挿入部とを備え、
前記受信状況検出手段は、
当該代替音声パケット挿入部における代替音声パケットの挿入数を、前記受信状況情報として所定の評価周期ごとに出力するパケット挿入数出力部と、
前記ネットワーク上で失われた音声パケットの数を示す損失数を、前記受信状況情報として所定の評価周期ごとに出力するパケット損失数出力部と、
前記待ち行列の長さに対応する蓄積されている音声パケットの数を示す蓄積数を、前記受信状況情報として所定の評価周期ごとに出力するパケット蓄積数出力部とを備え、
前記品質評価実行手段は、
当該挿入数、損失数、および蓄積数を所定の数式に代入し、当該数式の値を算出することによって、音声パケット通信の品質を評価する数式演算部を備えることを特徴とする音声パケット通信の品質評価システム。
【請求項３】
請求項１に記載した音声パケット通信の品質評価システムにおいて、
前記パケット間隔調整手段は、
前記ネットワークから時系列に受信される音声パケットを用いて待ち行列を形成しておき、所定の時間間隔で音声パケットを出力することによって当該待ち行列を処理する待ち行列処理部と、
前記ネットワークから時系列に受信される音声パケットの遅延が所定の遅延時間を超えて当該待ち行列が消滅することが予測される場合に、受信される音声パケット系列の中に所定の音声データを収容している代替音声パケットを挿入して当該消滅を防ぐ代替音声パケット挿入部とを備え、
前記受信状況検出手段は、
当該代替音声パケット挿入部における代替音声パケットの挿入数を、前記受信状況情報として所定の評価周期ごとに出力するパケット挿入数出力部と、
前記ネットワーク上で失われた音声パケットの数を示す損失数を、前記受信状況情報として所定の評価周期ごとに出力するパケット損失数出力部と、
前記待ち行列の長さに対応する蓄積されている音声パケットの数を示す蓄積数を、前記受信状況情報として所定の評価周期ごとに出力するパケット蓄積数出力部とを備え、
前記品質評価実行手段は、
当該挿入数、損失数、および蓄積数をそれぞれキーとする表構造を格納しておき、与えられた挿入数キー、損失数キー、および蓄積数キーに応じて、音声パケット通信の品質を評価する評価値を決定する表構造操作部を備えることを特徴とする音声パケット通信の品質評価システム。
【請求項４】
請求項１に記載した音声パケット通信の品質評価システムにおいて、
前記パケット間隔調整手段は、
前記ネットワークから時系列に受信される音声パケットを用いて待ち行列を形成しておき、所定の時間間隔で音声パケットを出力することによって当該待ち行列を処理する待ち行列処理部と、
前記ネットワークから時系列に受信される音声パケットの遅延が所定の遅延時間を超えて当該待ち行列が消滅することが予測される場合に、受信される音声パケット系列の中に所定の音声データを収容している代替音声パケットを挿入して当該消滅を防ぐ代替音声パケット挿入部とを備え、
前記受信状況検出手段は、
当該代替音声パケット挿入部における代替音声パケットの挿入履歴を、前記受信状況情報として出力するパケット挿入履歴出力部と、
前記ネットワーク上における音声パケットの損失履歴を、前記受信状況情報として出力するパケット損失履歴出力部とを備え、
前記パケット受信装置に搭載され、時系列な参照用音声パケットから構成された参照用音声パケット系列を出力する参照用音声パケット出力手段と、
前記パケット受信装置に搭載され、当該参照用音声パケット出力手段から、参照用音声パケット系列の供給を受けると共に、前記挿入履歴と損失履歴の供給を受け、当該挿入履歴に応じて参照用音声パケット系列に代替音声パケットを挿入すると共に、当該損失履歴に応じて参照用音声パケット系列から参照用音声パケットを除去し、当該パケット間隔調整手段における音声パケットの受信状況に対応した受信状況再現パケット系列を生成する受信側受信状況再現手段とを備え、
前記品質評価実行手段は、
前記参照用音声パケット系列と当該受信状況再現パケット系列とを比較することで、音声パケット通信の品質を推定する受信側推定部を備えることを特徴とする音声パケット通信の品質評価システム。
【請求項５】
請求項４に記載した音声パケット通信の品質評価システムにおいて、
前記参照用音声パケットは、符号化していない音声データを収容している音声パケットであることを特徴とする音声パケット通信の品質評価システム。
【請求項６】
請求項４に記載した音声パケット通信の品質評価システムにおいて、
前記参照用音声パケットは、前記音声パケットを符号化する際に用いる符号化と同じ符号化方式で符号化した上で、当該音声パケットを復号する際に用いる復号方式と同じ復号方式で復号したものであることを特徴とする音声パケットの品質評価システム。
【請求項７】
ネットワークに対して音声パケットを時系列に送出するパケット送信装置と、当該ネットワークを介して当該音声パケットを時系列に受信するパケット受信装置とを備えた音声パケット通信の品質評価システムにおいて、
前記パケット送信装置は、
同一の入力音声データをもとに、本来の通信のために使用する実音声パケットと、品質評価のために使用する評価音声パケットとを生成して、当該実音声パケットは品質を保証しない非保証態様で前記ネットワーク上を伝送し、評価音声パケットは品質を保証する保証態様で前記ネットワーク上を伝送する両音声パケット送出手段を備え、
前記パケット受信装置は、
前記非保証態様でネットワークを伝送され、ネットワークの状態変動に応じた不均一な時間間隔で受信される時系列な実音声パケットを受信して出力すると共に、前記保証態様でネットワークを伝送され、ネットワークの状態変動に依存しない均一な時間間隔で受信される時系列な評価音声パケットを受信して出力する両音声パケット受信手段と、
当該両音声パケット受信手段から出力される実音声パケットと評価音声パケットとを比較して、実音声パケットに対応する前記パケット送信装置と当該パケット受信装置とのあいだの音声パケット通信の品質を評価する品質評価実行手段とを備えることを特徴とする音声パケット通信の品質評価システム。
【請求項８】
請求項７に記載した音声パケット通信の品質評価システムにおいて、
前記パケット送信装置に設けられた両音声パケット送出手段は、
実音声パケットに収容する前記入力音声データに符号化を施す実符号化部を備え、
前記パケット受信装置に設けられた両音声パケット受信手段は、
実音声パケットに収容されている前記入力音声データを復号する実復号部を備えることを特徴とする音声パケット通信の品質評価システム。
【請求項９】
請求項８に記載した音声パケット通信の品質評価システムにおいて、
前記パケット送信装置に設けられた両音声パケット送出手段は、前記実符号化部に加えて、
前記評価音声パケットに収容する前記入力音声データに対し、前記実音声パケットに収容する入力音声データに対して実符号化部が施す符号化と同じ符号化方式で符号化を施す評価符号化部を備え、
前記パケット受信装置に設けられた両音声パケット受信手段は、前記実復号部に加えて、
前記評価音声パケットに収容されている前記入力音声データに対し、前記実音声パケットに収容されている入力音声データに対して実復号部が施す復号と同じ復号方式で復号を施す評価復号部を備えることを特徴とする音声パケット通信の品質評価システム。
【請求項１０】
ネットワークに対して音声パケットを時系列に送出するパケット送信装置と、当該ネットワークを介して当該音声パケットを時系列に受信するパケット受信装置とを備えた音声パケット通信の品質評価システムにおいて、
前記パケット受信手段は、
前記ネットワークから時系列に受信される音声パケットを用いて待ち行列を形成しておき、所定の時間間隔で音声パケットを出力することによって当該待ち行列を処理する待ち行列処理部と、
前記ネットワークから時系列に受信される音声パケットの遅延が所定の遅延時間を超えて当該待ち行列が消滅することが予測される場合に、受信される音声パケット系列の中に所定の音声データを収容している代替音声パケットを挿入して当該消滅を防ぐ代替音声パケット挿入部とを有するパケット間隔調整手段を備えると共に、
当該代替音声パケット挿入部における代替音声パケットの挿入履歴を出力するパケット挿入履歴出力部と、
前記ネットワーク上における音声パケットの損失履歴を出力するパケット損失履歴出力部とを有する受信状況検出手段を備え、
さらに、前記ネットワークを介して前記音声パケットを受信すると、当該音声パケットに関する受信状況情報として、前記挿入履歴および／または損失履歴を、品質を保証する保証態様で前記ネットワーク上を伝送して前記パケット送信装置に返送する受信状況情報返送手段を具備し、
前記パケット送信装置は、
入力音声データに対応した入力音声データ対応系列をもとに音声パケットを生成して、品質を保証しない非保証態様で前記ネットワーク上を伝送する音声パケット送出手段と、
当該音声パケット送出手段から音声パケットの供給を受けておき、当該ネットワークを介して当該音声パケットを受信した前記パケット受信装置から当該パケット受信装置における音声パケットの受信状況を示す前記受信状況情報が返送されてくると、当該受信状況情報としての挿入履歴に応じて、前記音声パケット送出手段が生成した音声パケットの系列に代替音声パケットを挿入すると共に、当該受信状況情報としての損失履歴に応じて、当該音声パケットの系列から音声パケットを除去し、前記パケット受信装置における音声パケットの受信状況に対応した受信状況再現パケット系列を生成する送信側受信状況再現手段とを備え、
さらに、当該送信側受信状況再現手段で生成された受信状況再現パケットに対応した受信状況再現パケット対応系列と、前記入力音声データ対応系列とを比較することで、前記パケット受信装置と当該パケット送信装置とのあいだの音声パケット通信の品質を推定する送信側推定手段を備えることを特徴とする音声パケット通信の品質評価システム。
【請求項１１】
請求項１０に記載した音声パケット通信の品質評価システムにおいて、
前記入力音声データ対応系列は、音声データ系列であり、
前記音声パケット送出手段は、
当該音声データ系列に符号化を施して前記音声パケットに収容する音声符号化部を備え、
前記送信側受信状況再現手段は、
前記音声パケットの系列に対する代替音声パケットの挿入および／または音声パケットの除去のあとで当該音声パケットを復号する音声復号部を備え、
前記送信側推定手段は、
当該音声復号部から出力される復号結果と、前記音声データ系列とを比較して、前記パケット送信装置とパケット受信装置のあいだの音声パケット通信の品質を推定することを特徴とする音声パケット通信の品質評価システム。
【請求項１２】
請求項１０に記載した音声パケット通信の品質評価システムにおいて、
前記入力音声データ対応系列は、音声データ系列であり、
前記音声パケット送出手段は、
当該音声データ系列に符号化を施して前記音声パケットに収容する音声符号化部を備え、
前記送信側受信状況再現手段は、
前記音声パケットの系列に対する代替音声パケットの挿入および／または音声パケットの除去のあとで当該音声パケットを復号する音声復号部を備え、
前記送信側推定手段は、
前記音声符号化部から出力され、前記代替音声パケットの挿入および／または音声パケットの除去を受けていない状態の音声パケットの系列と、前記音声復号部から出力される復号結果とを比較して、前記パケット送信装置とパケット受信装置のあいだの音声パケット通信の品質を推定することを特徴とする音声パケット通信の品質評価システム。
【発明の詳細な説明】
【０００１】
【発明の属する技術分野】
本発明は音声パケット通信の品質評価システムに関し、例えば、インターネットなどを利用して会話音声などの音声信号情報を双方向にパケット伝送する場合などに適用して好適なものである。
【０００２】
【従来の技術】
現在、インターネット等のネットワークを利用した音声通信が盛んに行われている。これは音声符号化情報をパケット化し、ネットワークを通じて伝送するものである。
【０００３】
【発明が解決しようとする課題】
ところで、ネットワークを介する音声通信においては、パケット欠落（パケット損失）、伝送遅延、伝送路遅延の揺らぎ（ジッタ）等により、通信音声品質が劣化する。パケット欠落頻度、伝送路遅延揺らぎ度合いなどは、ネットワークのトラフィックにより時々刻々と変動しており、それに応じて通信音声品質も変化している。
【０００４】
しかしながら現状では、通信音声品質をリアルタイムで客観的に測定する手法がなく、当該手法の実現が望まれている。
【０００５】
また、音声をはじめ画像などのマルチメディア通信では、高い圧縮率を得ることのできる非可逆圧縮（Lossly  Compression）方式が採用されるのが普通である。非可逆圧縮の場合、圧縮すると例えば数十分の一から数百分の一程度の圧縮（可逆圧縮（Lossless  Compression）方式の場合には例えば数分の一程度）が可能である反面、圧縮して送信したデータを受信側で解凍した場合、情報の一部が欠落する可能性が高いので、当該欠落が通信品質に与える影響を客観的に評価することも重要になる。
【０００６】
【課題を解決するための手段】
かかる課題を解決するために、第１の発明では、ネットワークを介して音声パケットを時系列に受信するパケット受信装置を備えた音声パケット通信の品質評価システムにおいて、前記パケット受信装置は、（１）前記ネットワークの状態変動に応じた不均一な時間間隔で受信される時系列な音声パケットを、所定の時間間隔で出力するパケット間隔調整手段と、（２）当該パケット間隔調整手段における音声パケットの受信状況を示す、複数種類の受信状況情報を出力する受信状況検出手段と、（３）複数種類の前記受信状況情報を利用して、音声パケット通信の品質を評価するための１つの品質評価指標を形成して出力する品質評価実行手段を備えることを特徴とする。
【０００７】
また、第２の発明では、ネットワークに対して音声パケットを時系列に送出するパケット送信装置と、当該ネットワークを介して当該音声パケットを時系列に受信するパケット受信装置とを備えた音声パケット通信の品質評価システムにおいて、前記パケット送信装置は、（１）同一の入力音声データをもとに、本来の通信のために使用する実音声パケットと、品質評価のために使用する評価音声パケットとを生成して、当該実音声パケットは品質を保証しない非保証態様で前記ネットワーク上を伝送し、評価音声パケットは品質を保証する保証態様で前記ネットワーク上を伝送する両音声パケット送出手段を備え、前記パケット受信装置は、（２）前記非保証態様でネットワークを伝送され、ネットワークの状態変動に応じた不均一な時間間隔で受信される時系列な実音声パケットを受信して出力すると共に、前記保証態様でネットワークを伝送され、ネットワークの状態変動に依存しない均一な時間間隔で受信される時系列な評価音声パケットを受信して出力する両音声パケット受信手段と、（３）当該両音声パケット受信手段から出力される実音声パケットと評価音声パケットとを比較して、実音声パケットに対応する前記パケット送信装置と当該パケット受信装置とのあいだの音声パケット通信の品質を評価する品質評価実行手段とを備えることを特徴とする。
【０００８】
さらに、第３の発明では、ネットワークに対して音声パケットを時系列に送出するパケット送信装置と、当該ネットワークを介して当該音声パケットを時系列に受信するパケット受信装置とを備えた音声パケット通信の品質評価システムにおいて、前記パケット受信手段は、（１）前記ネットワークから時系列に受信される音声パケットを用いて待ち行列を形成しておき、所定の時間間隔で音声パケットを出力することによって当該待ち行列を処理する待ち行列処理部と、（２）前記ネットワークから時系列に受信される音声パケットの遅延が所定の遅延時間を超えて当該待ち行列が消滅することが予測される場合に、受信される音声パケット系列の中に所定の音声データを収容している代替音声パケットを挿入して当該消滅を防ぐ代替音声パケット挿入部とを有するパケット間隔調整手段を備えると共に、（３）当該代替音声パケット挿入部における代替音声パケットの挿入履歴を出力するパケット挿入履歴出力部と、（４）前記ネットワーク上における音声パケットの損失履歴を出力するパケット損失履歴出力部とを有する受信状況検出手段を備え、（５）さらに、前記ネットワークを介して前記音声パケットを受信すると、当該音声パケットに関する受信状況情報として、前記挿入履歴および／または損失履歴を、品質を保証する保証態様で前記ネットワーク上を伝送して前記パケット送信装置に返送する受信状況情報返送手段を具備し、前記パケット送信装置は、（６）入力音声データに対応した入力音声データ対応系列をもとに音声パケットを生成して、品質を保証しない非保証態様で前記ネットワーク上を伝送する音声パケット送出手段と、（７）当該音声パケット送出手段から音声パケットの供給を受けておき、当該ネットワークを介して当該音声パケットを受信した前記パケット受信装置から当該パケット受信装置における音声パケットの受信状況を示す前記受信状況情報が返送されてくると、当該受信状況情報としての挿入履歴に応じて、前記音声パケット送出手段が生成した音声パケットの系列に代替音声パケットを挿入すると共に、当該受信状況情報としての損失履歴に応じて、当該音声パケットの系列から音声パケットを除去し、前記パケット受信装置における音声パケットの受信状況に対応した受信状況再現パケット系列を生成する送信側受信状況再現手段とを備え、(８)さらに、当該送信側受信状況再現手段で生成された受信状況再現パケットに対応した受信状況再現パケット対応系列と、前記入力音声データ対応系列とを比較することで、前記パケット受信装置と当該パケット送信装置とのあいだの音声パケット通信の品質を推定する送信側推定手段を備えることを特徴とする。
【０００９】
【発明の実施の形態】
（Ａ）実施形態
以下では本発明にかかる音声パケット通信の品質評価システムをインターネット上に配置された通話品質監視システムに適用した場合を例に、実施形態について説明する。
【００１０】
当該通話品質監視システム１０は、ＶｏＩＰ（Voice  Over  IP）に対応するもので、インターネットを介して双方向で会話音声がやり取りされる。
【００１１】
第１〜第８の実施形態に共通する特徴は、パケット欠落頻度、伝送路遅延揺らぎ度合い等をパラメータとして、復号音声品質を客観的に求める点にある。
【００１２】
（Ａ−１）第１の実施形態の構成
本実施形態の通話品質監視システム１０の主要な構成要素である通話品質監視装置１２を図１に示す。当該通話品質監視装置１２は、インターネットなどのネットワーク１１を介してパケット送信装置（図示せず）に対向しているパケット受信装置に搭載されるものである。本実施形態の場合、パケット送信装置側の構成は基本的にどのようなものであってもよく、通話品質の監視はパケット受信装置側でのみ行われる。
【００１３】
ただし通常は、インターネットを介して双方向通信を行う場合、あるパケット通信装置からみた送信方向（往路）と受信方向（復路）の通信には同一のルートが使用され当該ルート上に存在する同一のルータが音声パケットの転送を行うことになるので、ルータ自体の構造にもよるが、パケットの欠落や遅延がルータ内のスイッチの処理能力に起因して発生したもの等である場合には当該通話品質監視装置１２における通話品質評価結果は、おおむねパケット送信装置側における通話品質評価結果に対応したものになることが期待される。
【００１４】
なお、当該パケット送信装置やパケット受信装置の具体例としては、インターネット電話などのネットワーク機能を搭載しているパーソナルコンピュータなどであってよい。
【００１５】
図１において、当該通話品質監視装置１０は、音声パケット調整回路１０１と、音声復号回路１０２と、通話品質計算回路１０３とを備えている。
【００１６】
このうち音声パケット調整回路１０１は、ネットワーク１１から音声パケットＰＩを受信して所定の時間間隔（後述する復号タイミングＴ）で音声復号回路１０２に出力する回路で、例えば、図１３に示すような内部構成を備えている。
【００１７】
すなわち、前記パケット送信装置からネットワーク１１に送出された音声パケットＰＩは、品質保証されていない品質非保証型のプロトコルでネットワーク１１上を伝送（転送）されるため、音声パケット調整回路１０１が受信する音声パケットＰＩは、時々刻々と変動するネットワーク１１のトラフィックにより不定期的に得られ、音声パケット調整回路１０１はこれを定期的に音声復号回路１０２へ出力するためのタイミング調整を行う。
【００１８】
（Ａ−１−１）音声パケット調整回路の内部構成例
図１３において、音声パケット調整回路１０１は、欠落検査部２０と、書込み部２１と、ＦＩＦＯメモリ（先入れ先出しタイプのメモリ）２２と、読出し部２３と、読出し処理部２４と、受信状態検出部２５と、減算部２６と、周期発生部２７と、代替データ生成部２８とを備えている。
【００１９】
このうち欠落検査部２０は、ネットワーク１１を介して受信された時系列な音声パケットＰＩに欠落があるかどうかを検出する部分である。
【００２０】
この検出にあたっては、前記パケット送信装置がネットワーク１１に送出する際に当該音声パケットＰＩに付与した（送信順序を示す）連続番号や（送信時刻を示す）タイムスタンプなどをもとに、ネットワーク１１上におけるパケット欠落の有無を検査して、検出信号Ｅ１を受信状態検出部２５に供給する。
【００２１】
例えば、それぞれ連続番号１，２，３を付与した音声パケットがこの順番に受信されたあと、連続番号４を付与した音声パケットが受信されずに連続番号５を付与した音声パケットが受信されれば、連続番号４の音声パケットがネットワーク１１上で欠落したものと判定（欠落判定）する。
【００２２】
そしてこのような欠落判定が行われるたびに前記検出信号Ｅ１が非能動状態から能動状態に切り替わり、受信状態検出部２５に欠落があったことを伝える。
【００２３】
受信された音声パケットＰＩのほうは、当該欠落検査部２０から、書き込み部２１、ＦＩＦＯメモリ２２、読み出し部２３、読み出し処理部２４の順番に受け渡されて、音声パケットＰＯとして前記音声復号回路１０２に供給される。
【００２４】
欠落検査部２０から音声パケットＰＩを受け取る書き込み部２１は、ＦＩＦＯメモリ２２に当該音声パケットＰＩを書き込む機能のほかに、音声パケットＰＩの書き込みのたびに、減算部２６に供給する検出信号Ｅ２を非能動状態から能動状態に切替える機能を備えている部分である。
【００２５】
書き込み部２１から音声パケットＰＩの書き込みを受けるＦＩＦＯメモリ２２は、十分な容量を備えたメモリ（ＲＡＭ）である。
【００２６】
当該ＦＩＦＯメモリ２２から、音声復号回路１０２の仕様が要求する所定の時間間隔（復号タイミング）Ｔで音声パケットＰＩを読み出す読み出し部２３は、読み出した音声パケットＰＩを読み出し処理部２４に供給する機能のほかに、読み出しのたびに、前記減算部２６に供給する検出信号Ｅ３を非能動状態から能動状態に切替える機能を備えている。
【００２７】
なお、当該復号タイミングＴは、周期発生部２７から当該読み出し部２３へ供給される信号である。
【００２８】
当該読み出し部２３はまた、ＦＩＦＯメモリ２２内に読み出すことのできる有効な音声パケットＰＩの蓄積がなくなったときには、音声パケットＰＩの替わりに所定のビットパターンの無効データを生成して読み出し処理部２４に供給する。
【００２９】
読み出し処理部２４は、読み出し部２３から受け取ったデータが有効な音声パケットＰＩである場合には、音声復号回路１０２の仕様が要求する前記復号タイミングＴで音声パケットＰＩを音声パケットＰＯとして音声復号回路１０２に供給するが、当該無効データである場合には、代替データ生成部２８に供給する検出信号Ｅ６を非能動状態から能動状態に切替えて代替データ生成部２８に、代替音声パケットＰＰを生成させ、その供給を受ける。
【００３０】
代替音声パケットＰＰは、微少雑音などに対応する所定の音声データを収容した音声パケットで、読み出し処理部２４から音声復号回路１０２に供給する有効な音声パケットＰＩがない場合（すなわち、復号タイミングＴがおとずれてもＦＩＦＯメモリ２２内に読み出すべき音声パケットＰＩがない場合）に、音声パケットＰＩの系列に挿入する音声パケットである。代替音声パケットを挿入することは、挿入しない場合に比べ、音声出力において音声の途切れなどの違和感を緩和し、通話品質を向上することに有効である。
【００３１】
当該代替データ生成部２８から代替音声パケットＰＰを受け取ったとき、当該読み出し処理部２４は、当該代替音声パケットＰＰを、音声パケットＰＯとして前記復号タイミングＴで音声復号回路１０２に供給する。
【００３２】
なお、当該読み出し処理部２４は、前記検出信号Ｅ６を非能動状態から能動状態に切替えると同時に、受信状態検出部２５に供給する検出信号Ｅ４も非能動状態から能動状態に切替えて、音声パケットＰＩの系列に代替音声パケットＰＰを挿入したことを知らせる。
【００３３】
前記周期発生部２７は、前記復号タイミングＴを発生するほか、通話品質監視のための繰り返し周期である監視周期ＴＥ（ＴＥ＝Ｔ×Ｎ。ここで、Ｎは正の整数）を受信状態検出部２５と減算部２６に供給する部分である。
【００３４】
減算部２６は、例えば第１、第２のカウンタを内蔵していて、第１カウンタは検出信号Ｅ２が能動状態に切り替わるたびにカウントアップし、第２カウンタは検出信号Ｅ３が能動状態に切り替わるたびにカウントアップするようにし、監視周期ＴＥのたびに、第１カウンタのカウント値から第２カウンタのカウント値を減算して当該減算結果を検出信号Ｅ５として出力したあと第１、第２のカウンタのカウント値を初期値（例えば０）にリセットする部分である。したがって、当該検出信号Ｅ５の値は、ＦＩＦＯメモリ２２に蓄積されている音声パケットＰＩの数（キュー長）に対応したものになる。
【００３５】
受信状態検出部２５は、前記監視周期ＴＥごとに、前記検出信号Ｅ１をもとに算出される音声パケットＰＩの欠落数Ｄと、前記検出信号Ｅ４をもとに算出される代替音声パケットＰＰの挿入数Ｉと、前記検出信号Ｅ５に対応する音声パケットＰＩの蓄積数Ｂとを出力したあと、各数Ｄ、Ｉは初期値（例えば０）にリセットする（ただし蓄積数Ｂの値は内部に記憶して維持する）部分である。
【００３６】
その性質上、監視周期ＴＥ内における欠落数Ｄや挿入数Ｉが増加するほど通話品質が劣化することは明白であるが、蓄積数Ｉが増加したとしても音声そのものの品質が劣化することはない。にもかかわらずここで蓄積数Ｉを採用している理由は、双方向通話において当該蓄積数Ｉが増加するほど、こちらが発話した内容に対する相手の答えが音声復号回路１０２側で音声出力されるタイミングが不自然に遅れ、会話としての品質が低下するためである。
【００３７】
なお、ＦＩＦＯメモリ２２内に蓄積することができる音声パケットＰＩのキュー（待ち行列）Ｑ１は、本実施形態では１つであるものとする。
【００３８】
以上のような構成を持つ音声パケット調整回路１０１から、前記復号タイミングＴ秒毎に、音声パケットＰＯの供給を受ける音声復号回路１０２は、音声パケットＰＯが収容しているデータを復号する部分である。
【００３９】
音声パケットＰＩに収容されているデータは、通常、パケット送信装置によって符号化（すなわち圧縮符号化）されているので、本実施形態の通話品質監視装置１２を搭載したパケット受信装置側では、当該データを復号（すなわち解凍）する必要がある。この復号を実行するのが、当該音声復号回路１０２である。
【００４０】
音声データは最終的にはパケット受信装置のユーザなどの人間の聴覚を用いて感得されるものなので、厳密に圧縮前の状態に復元されず、データの一部が欠落したとしても、それが許容限度内であれば問題はない。したがって解凍後のデータの正確さよりむしろ、高い圧縮率によってデータのサイズを小さくし、実質的な伝送効率を高めることを重視したほうが通信のリアルタイム性の向上などの点で有利である。
【００４１】
このような条件を考慮し、音声パケットＰＩに収容する音声データに対しては、可逆圧縮よりも高い圧縮率を得ることのできる上述した非可逆圧縮が、パケット送信装置によって施されているものとする。
【００４２】
音声復号回路１０２は連続的で自然な音声出力Ｓを発生するため、前記復号タイミングＴごとに、前記音声パケット調整回路１０１（の読み出し処理部２４）から、音声パケットＰＯの供給を受けることが必要になる。音声復号回路１０２は、例えばＩＴＵ−Ｔ標準のＧ．７２９、Ｇ．７２３．１等が適用され、Ｇ．７２９の場合、復号タイミングＴは、Ｔ＝０．０１秒となり、Ｇ．７２３．１の場合はＴ＝０．０３秒となる。
【００４３】
また、図１の通話品質計算回路１０３は、前記音声パケット調整回路１０１（の受信状態検出部２５）から、前記監視周期ＴＥごとに、音声パケットＰＩの欠落数Ｄと、代替音声パケットＰＰの挿入数Ｉと、音声パケットＰＩの蓄積数Ｂの供給を受け、これら受信状態情報Ｄ、Ｉ、Ｂをもとに所定の演算式にもとづいて演算を実行し、通話品質指標Ｅを算出する部分である。
【００４４】
当該演算式の具体例として、本実施形態では、次の式（１）を用いるものとする。
【００４５】
Ｅ＝５−（Ｉ×α／Ｎ）−（Ｄ×β／Ｎ）−Ｂ×Ｔ×γ  …（１）
ただし、Ｅ＜０となった場合は、Ｅ＝０とする。
【００４６】
またα、β、γの値は、例えば以下の通りとする。
【００４７】
α＝１０、β＝１０、γ＝２
ただし、当該α、β、γの値はこれらに限定するものではない。
【００４８】
また、前記式（１）のかたちは、通話品質指標Ｅの高い理想的な状態が５となり、もっとも劣悪な状態が０となるようにするためのものであるので、このような条件が変更されれば、それにともなって変更されるべきものである。
【００４９】
以下、上記のような構成を有する本実施形態の動作について説明する。
【００５０】
（Ａ−２）第１の実施形態の動作
前記監視周期ＴＥ内において、前記パケット送信装置から、例えば図９（Ａ）に示すように、Ｐ１〜Ｐ１０の連続番号を付与された音声パケットＰＩが、この順番でネットワーク１１に送出されたものとする。
【００５１】
理想的には音声パケットＰ１〜Ｐ１０のすべてがこの順番通りに、パケット受信装置に搭載された通話品質監視装置１２に送達されるが、実際には、ネットワーク１１のトラフィックに応じて発生する輻輳などの影響で、ネットワーク１１上のルータなどにおいてオーバーフローが発生し、音声パケットＰＩが失われることがある。
【００５２】
音声パケットＰ１〜Ｐ１０のうち、例えば図９（Ｂ）に示すように、音声パケットＰ４、Ｐ５、Ｐ９が欠落したものとすると、音声パケット調整回路１０１内の欠落検査部２０は、音声パケットＰ１、Ｐ２、Ｐ３をこの順番で検出している期間には検出信号Ｅ１を非能動状態に維持しているが、音声パケットＰ４、Ｐ５を検出せずに、音声パケットＰ６を検出したときには検出信号Ｅ１を２回、非能動状態から能動状態に切替える。そして音声パケットＰ６、Ｐ７、Ｐ８をこの順番で検出している期間には当該検出信号Ｅ１は非能動状態を維持するが、音声パケットＰ９を検出せずに音声パケットＰ１０を検出したときには、検出信号Ｅ１を非能動状態から能動状態に切替える。したがって当該監視周期ＴＥ内において、検出信号Ｅ１は合計３回、能動状態に切り替わることになる。
【００５３】
また当該監視周期ＴＥ内において、欠落することなく受信された音声パケットＰ１，Ｐ２，Ｐ３，Ｐ６，Ｐ７，Ｐ８，Ｐ１０は、この順番にしたがって当該欠落検査部２０から書き込み部２１に供給され、書き込み部２１によってＦＩＦＯメモリ２２に蓄積されて行き、キューＱ１を構成する。
【００５４】
書き込み部２１が音声パケットＰＩ（Ｐ１、Ｐ２など）を書き込むたびに検出信号Ｅ２が能動状態に切り替わるため、当該監視周期ＴＥ内で当該検出信号Ｅ２は、合計７回、能動状態に切り替わることになる。
【００５５】
これに対し読み出し部２３は、周期発生部２７から供給される復号タイミングＴで指定される一定の時間間隔で、ＦＩＦＯメモリ２２から書き込み順に音声パケットＰＩを読み出し、前記キューＱ１を処理して行く。
【００５６】
パケット送信装置が音声データを符号化して音声パケットＰＩに収容する速度と当該パケット受信装置（通話品質監視装置）１２が音声パケットＰＯに収容されている符号化音声データを復号する速度は同じにしておくのが普通と考えられるから、ネットワーク１１上での音声パケットの欠落や遅延がないと仮定した場合、当該監視周期ＴＥ内に１０個（Ｎ＝１０）の音声パケットＰＩ（すなわちＰ１〜Ｐ１０）を受信することになり、当該監視周期ＴＥ内に音声パケット調整回路１０１から音声復号回路１０２に供給される音声パケットＰＯの数も、本来、１０個であるはずである。
【００５７】
ところが実際には、ネットワーク１１上でジッタが発生し得るために、音声パケットＰ１と音声パケットＰ１０の間隔が当該監視周期ＴＥと同じにならないことも多い。ネットワーク１１から通話品質監視装置１２が受信する監視周期ＴＥ中の最初の音声パケットＰ１と最後の音声パケットＰ１０の間隔が当該監視周期ＴＥよりも短い場合には、ＦＩＦＯメモリ２２に対する書き込み速度（可変）のほうが読み出し速度（前記復号タイミングＴに対応する一定速度）よりも速いために、キューＱ１は伸長するが、反対に音声パケットＰ１と音声パケットＰ１０の間隔が当該監視周期ＴＥよりも長い場合には、ＦＩＦＯメモリ２２に対する書き込み速度は読み出し速度（前記復号タイミングＴに対応する一定速度）よりも遅くなって、キューＱ１は短縮する。
【００５８】
ここでは簡単のために、このようなジッタがないものと仮定し、パケットの欠落のみが発生した結果、前記音声パケットＰ４、Ｐ５、Ｐ９が欠落したものとする。
【００５９】
ジッタがなければ、キューＱ１の長さは短縮も伸長もしないから、当該監視周期ＴＥ中は当該監視周期ＴＥの直前のキュー長を維持することとなり、直前のキュー長が０（当該監視周期ＴＥにおけるキュー長の初期値）であるとすると、当該監視周期ＴＥ中、一貫してキュー長は０である。キュー長が０であるということは、書き込まれた音声パケットがただちに読み出されることを意味し、ネットワーク１１から通話品質監視装置１２が受信する音声パケットＰ１と音声パケットＰ１０の間隔が、前記監視周期ＴＥに一致しているものと仮定することに等しい。
【００６０】
これらの仮定の下で、前記音声パケットＰ４、Ｐ５、Ｐ９の欠落のみが発生すると、最初の音声パケットＰ１は書き込み部２１によってＦＩＦＯメモリ２２に書き込まれると直ちに読み出し部２３によって読み出され、音声パケットＰＯとして音声復号回路１０２に供給される。
【００６１】
そして当該音声パケットＰ１の書き込み時には、書き込み部２１から出力される検出信号Ｅ２が１回、能動状態に切り替わり、前記周期発生部２７から供給される復号タイミングＴを受けて行われる読み出し時には読み出し部２３から出力される検出信号Ｅ３が１回、能動状態に切り替わる。読み出し部２３によって読み出された音声パケットＰ１は、読み出し処理部２４によって音声パケットＰＯとして音声復号回路１０２に供給され、当該音声復号回路１０２において復号され、当該音声パケットＰＯの復号結果に対応する音声出力Ｓが行われる。
【００６２】
音声パケットＰ１につづいて受信される音声パケットＰ２、Ｐ３に関しても、当該音声パケットＰ１と同様な処理が行われる。
【００６３】
ところが本来は音声パケットＰ３につづいて受信されるはずの音声パケットＰ４はネットワーク１１上で欠落して受信されないから当該音声パケットＰ４を処理すべきタイミングでは、書き込み部２１の書き込み動作も、読み出し部２３の読み出し動作も行われない。
【００６４】
読み出し部２３は、前記周期発生部２７から供給される復号タイミングＴが供給されたとき、ＦＩＦＯメモリ２２から有効な音声パケットＰＩの読み出しが行えないことを検出すると、前記無効データを読み出し処理部２４に供給する。
【００６５】
無効データの供給を受けた読み出し処理部２４では、検出信号Ｅ６を能動状態に切替えて代替データ生成部２８から代替音声パケットＰＰの供給を受けて当該代替音声パケットＰＰを、欠落した音声パケットＰ４に替わる音声パケットＰＯとして音声復号回路１０２に供給するとともに検出信号Ｅ４を能動状態に切替えて当該代替音声パケットＰＰの挿入を受信状態検出部２５に知らせる。
【００６６】
代替音声パケットＰＰを受け取った音声復号回路１０２では、代替音声パケットＰＰに収容されているデータに応じて、音声出力Ｓとして前記微少雑音などを出力する。
【００６７】
つづく音声パケットＰ５もＰ４と同様に欠落しているので、当該音声パケットＰ５に対応する復号タイミングＴでも、読み出し部２３は無効データを読み出し処理部２４に供給し、前記音声パケットＰ４のタイミングと同様な処理が行われる。
【００６８】
次に、有効な音声パケットＰ６がネットワーク１１から受信されると、前記欠落検査部２０は当該音声パケットＰ６に付与されている連続番号Ｐ６から、連続番号Ｐ４とＰ５の音声パケットＰ４、Ｐ５が欠落したことを検出し、検出信号Ｅ１を２回、能動状態に切替えて、当該欠落を受信状態検出部２５に知らせる。
【００６９】
以降の音声パケットＰ７〜Ｐ１０に関しても、音声パケット調整回路１０１と音声復号回路１０２では、同様な動作が行われ、１つの監視周期ＴＥにおける処理が実行される。
【００７０】
結局、ジッタがなく、当該監視周期ＴＥにおけるキュー長の初期値が０で、なおかつ、音声パケットＰ４、Ｐ５、Ｐ９の欠落だけが発生するものと仮定すると、ＦＩＦＯメモリ２２からの読み出しのたびに能動状態に切り替わる検出信号Ｅ３が当該監視周期ＴＥ内において能動状態に切り替わる回数は、１０回ではなく、７回である。
【００７１】
すなわち、図９（Ａ）および（Ｂ）の例では、当該監視周期ＴＥ内において書き込み部２１から出力される検出信号Ｅ２が能動状態に切り替わる回数と読み出し部２３から出力される検出信号Ｅ３が能動状態に切り替わる回数は同数の７回であり、検出信号Ｅ５によって指定される音声パケットＰＩの蓄積数（すなわちキュー長）Ｂは０（Ｂ＝０）である。
【００７２】
また、欠落検査部２０から出力される検出信号Ｅ１が能動状態に切り替わる回数（欠落数Ｄ）は、欠落した音声パケットＰ４、Ｐ５、Ｐ９の数に対応して、３回（Ｄ＝３）である。
【００７３】
さらに、読み出し処理部２４から出力される検出信号Ｅ４が能動状態に切り替わる回数（挿入数Ｉ）は、代替音声パケットＰＰの挿入数に対応して３回（Ｉ＝３）である。
【００７４】
したがって受信状態検出部２５からは、これらのＤ、Ｉ、Ｂの値（Ｄ＝３、Ｉ＝３、Ｂ＝０）が、通話品質計算部１０３に供給される。
【００７５】
通話品質計算部１０３では、前記式（１）にこれらの値を代入するので、復号タイミングＴを例えばＩＴＵ−Ｔ標準のＧ．７２９に対応する０．０１とした場合、通話品質指標Ｅは−１．０２（＝５−（３×１０／１０）−（３×１０／１０）−０×０．０１×２）となるが、Ｅ＜０の場合はＥ＝０なので、結局、通話品質指標Ｅは０（Ｅ＝０）となる。
【００７６】
図９（Ａ）および（Ｂ）のケースは、連続する１０個の音声パケットＰＩのうち３つの音声パケットが欠落し、ほぼ３０パーセントの有効な音声データが失われるケースに相当するので、通話品質としてはかなり劣悪な一例を示しているということができる。
【００７７】
ちなみに、このケースにおいて連続する１０個の音声パケットＰＩのうち欠落する音声パケットが例えば音声パケットＰ４だけであると仮定すると、Ｄ＝Ｉ＝１となり、通話品質指標Ｅは３（＝５−（１×１０／１０）−（１×１０／１０）−０×０．０１×２）になる。
【００７８】
なおここでは、ネットワーク１１にジッタがないものと仮定し、ＦＩＦＯメモリ２２に書き込まれた音声パケットＰＩが直ちに読み出し部２３によって読み出されるものとしたため、挿入数Ｉと欠落数Ｄは一致しているが、一般的には、挿入数Ｉと欠落数Ｄは一致しない。
【００７９】
なぜならば、ＦＩＦＯメモリ２２内にある程度の長さのキュー（例えば２以上の音声パケットＰＩによって構成されるキュー）Ｑ１が存在する場合、書き込まれた音声パケットＰＩが直ちに読み出されるわけではなく、ネットワーク１１上で音声パケットＰＩの欠落が発生しても、それが代替音声パケットＰＰの挿入に直結するわけではないからである。
【００８０】
（Ａ−３）第１の実施形態の効果
本実施形態によれば、ネットワークトラフィックにより時々刻々と変動する通話音声品質が、受信音声パケットの到着情報（受信状態情報）からリアルタイムで客観的に観測可能となる。
【００８１】
ここで、客観的であるとは、誰がいつ観測しても、同じ受信状態では同じ通話品質指標（Ｅ）が得られ、再現性があることを意味する。
【００８２】
（Ｂ）第２の実施形態
以下では、本実施形態が第１の実施形態と相違する点についてのみ説明する。
【００８３】
第１の実施形態では、前記式（１）に示すように、通話品質指標Ｅと各受信状態情報Ｄ、Ｉ、Ｂとの関係が線形的に決定されたが、このような線形的な関係は、人間の聴覚で感得される通話品質とずれる可能性があるものと考えられる。
【００８４】
求める通話品質指標Ｅは、客観的で再現性が高いものであることが要求されると同時に、現実に人間の聴覚で感得される品質とのあいだに大きなずれがないことも要求される。
【００８５】
前記式（１）のような演算式を用いて、このような要求をすべて満足することは必ずしも容易ではない。
【００８６】
（Ｂ−１）第２の実施形態の構成および動作
本実施形態の通話品質監視システム３０の構成を図２に示す。
【００８７】
図２において、図１と同一の符号を付した各構成部分１１，１０１，１０２および各信号ＰＩ、ＰＯ、Ｓ、Ｄ、Ｉ、Ｂの機能は、図１と同一である。
【００８８】
したがって本実施形態が第１の実施形態と相違する点は、通話品質計算回路２０３に関連する部分にかぎられる。
【００８９】
本実施形態の通話品質計算回路２０３では、音声パケット調整回路１０１より得られるＩ、Ｂ、Ｄから、以下のように通話品質指標Ｅを得る。
【００９０】
Ｅ＝ＴＡＢＬＥ［Ｉ］［Ｂ］［Ｄ］
ここで、ＴＡＢＬＥ［］［］［］には、予めＩ、Ｂ、Ｄの組み合わせに対応する通話品質指標Ｅの値として、０から５の数値を設定しておく。
【００９１】
これにより、Ｉ、Ｂ、Ｄのあらゆる組合せに対応して、非線形的に通話品質指標Ｅの値を設定しておくことが容易になる。
【００９２】
（Ｂ−２）第２の実施形態の効果
本実施形態によれば、第１の実施形態の効果と同等な効果を得ることができる。
【００９３】
加えて本実施形態では、テーブル設定時に非線形的な設定を行って自由に聴感的劣化度合いを加味することが出来るので、より人間の感覚に近い尺度で通話品質指標を得ることが容易である。
【００９４】
したがって、本実施形態で得られる通話品質指標（Ｅ）は、現実に人間の聴覚で感得される通話品質とのあいだに大きなずれがないように設定することができ、ユーザの理解を得やすいものとなることが期待される。
【００９５】
（Ｃ）第３の実施形態
以下では、本実施形態が第１の実施形態と相違する点についてのみ説明する。
【００９６】
第１の実施形態では、主としてパケット受信装置側に特徴を有するもので、パケット送信装置側の構成は基本的にどのような構成であってもよかったが、本実施形態では、パケット送信装置側の構成も重要な一要素となる。
【００９７】
(Ｃ−１）第３の実施形態の構成および動作
本実施形態の通話品質監視システム３５の構成を図３に示す。
【００９８】
図２において、当該通話品質監視システム３５は、パケット送信装置３６と、ネットワーク３７と、パケット受信装置（通話品質監視装置）３８とを備えている。
【００９９】
このうちパケット送信装置３６に搭載されている音声符号化回路３０５は、同一の入力音声データＳＩを用いて符号化（圧縮符号化）を行い、２系列の音声パケットＰＩとＰＲを出力する部分である。
【０１００】
音声パケットＰＩは図１の音声パケットＰＩと同様に、品質非保証型のプロトコルにしたがってネットワーク３７上を伝送されてパケット受信装置３８に受信されるが、音声パケットＰＲのほうは品質保証型のプロトコル（例えばＴＣＰ／ＩＰ）にしたがってネットワーク３７上を伝送されてパケット受信装置３８に受信される。
【０１０１】
このためネットワーク３７は、前記ネットワーク１１と同様なインターネットなどのネットワークであってもよいが、少なくとも音声パケットＰＲを品質保証して伝送することのできるルータなどを装備し、前記品質保証型のプロトコルが実行可能な物理的、論理的な構造を内蔵していることが前提となる。
【０１０２】
品質保証型のプロトコルで伝送される以上、音声パケットＰＲのほうは、ネットワーク３７上で欠落することがないだけでなく、実質的に遅延もジッタも発生せず、ほぼ理想的な状態でパケット受信装置３８に受信されることになる。
【０１０３】
なお、現実的には、コスト的な観点なども考慮すると、欠落や遅延やジッタがまったく発生しないネットワークを実現し運用することは困難な面があるので、音声パケットＰＩに比べて、パケット欠落数（パケット損失率）や遅延やジッタの程度が十分に低ければよいものと考えられる。
【０１０４】
前記音声パケットＰＩとＰＲの相違は実質的にその伝送が品質保証されているか否かだけである。
【０１０５】
したがってパケット送信装置３６からは、同じ符号化音声データを収容した音声パケットＰＩとＰＲが、ネットワーク３７に送出されることになる。
【０１０６】
音声符号化回路３０５が音声パケットＰＩを出力する周期は、前記復号タイミングＴと同じであるため、前記監視周期ＴＥ内にはＮ個の音声パケットＰＩが出力されることになる。
【０１０７】
これに対し音声パケットＰＲのほうは、ある一定周期である基準周期ＴＳ（ＴＳ＝Ｔ×Ｍ。ここでＭは正の整数）秒毎に、Ｌ個分（Ｌ≦Ｍ）出力する。
【０１０８】
ここで、Ｍ＝６、Ｌ＝３と置いた例を、図４に示す。
【０１０９】
一方、パケット受信装置に搭載されている通話品質監視装置３８は、図３に示すように、音声パケット調整回路３０１と、音声復号回路１０２と、音声パケット蓄積回路３０６と、リファレンス音声復号回路３０４と、通話品質計算回路３０３とを備えている。
【０１１０】
このうち音声パケット調整回路３０１は基本的に、前記音声パケット調整回路１０１と同じ機能を装備しているが、本実施形態では前記受信状態情報Ｄ、Ｉ、Ｂを出力する必要がないので、図１３に示す欠落検査部２０と、受信状態検出部２５と、減算部２６とは装備していない。また、書き込み部２１と読み出し部２３の機能のうち、検出信号Ｅ２、Ｅ３を出力する機能も不要である。
【０１１１】
ただし本実施形態でも、代替音声パケットＰＰの挿入は行うほうが通話品質の観点で好ましいため、読み出し部２２が無効データを出力する機能などは搭載しているものとする。
【０１１２】
なお、図１と同一の符号を付した音声復号回路１０２の機能は、第１の実施形態とまったく同じである。
【０１１３】
また、品質保証型のプロトコルでネットワーク３７を伝送された音声パケットＰＲを受信する音声パケット蓄積回路３０６は、ネットワーク３７より得られる音声パケットＰＲをＬ個分蓄積し、蓄積が完了すると周期Ｔ秒毎に音声パケットＰＴとして、リファレンス音声復号回路３０４へ出力する。
【０１１４】
したがって音声パケット蓄積回路３０６の内部構成は、前記音声パケット調整回路３０１とほぼ同様であってよいが、音声パケットＰＲの系列に対しては代替音声パケットＰＰの挿入は不要であり、代替データ生成部２８などは省略可能である。
【０１１５】
リファレンス音声復号回路３０４の機能は、前記音声復号回路１０２とまったく同じであるが、音声復号回路１０２から出力される音声出力Ｓと区別するため、リファレンス音声復号回路３０４から出力される音声出力をＳＲとする。
【０１１６】
すなわち、リファレンス音声復号回路３０４は、音声パケットＰＴからリファレンス復号音声信号ＳＲを生成し出力する。
【０１１７】
音声出力Ｓとリファレンス復号音声信号ＳＲを受け取る通話品質計算回路３０３は、ＳＲを参照用音声信号、Ｓを被評価用音声信号とし、例えばＩＴＵ−Ｔ標準のＰ．８６１に従って音声品質指標Ｅを計算し、ＴＳ秒毎に出力する。
【０１１８】
ＩＴＵ−Ｔ標準のＰ．８６１は人間の主観尺度を精度良く近似する客観評価法であり、参照用音声信号ＳＲと被評価用音声信号Ｓとを比較し、これらの違いに応じた客観的な通話品質指標Ｅを求めることができる。
【０１１９】
本実施形態では、通話品質を監視するための音声パケットＰＲを通信コストの高いことが予測される品質保証型のプロトコルを用いて伝送するため、例えば、通常の運用状態では音声パケットＰＲの伝送は行わず、メンテナンス時などにおいて一時的に、音声パケットＰＲの伝送を行うようにしてもよい。
【０１２０】
もちろん、必要ならば、常時、当該音声パケットＰＲの伝送を行うようにしてもよい。
【０１２１】
本実施形態では、通話品質評価の基準となる音声パケットＰＲを、音声パケットＰＩと同時に実際にネットワーク３７上を伝送させるため、第１の実施形態で行ったようにパケット送信装置３６側で音声パケットＰＩに連続番号を付与したり、音声パケット調整回路１０１内で受信状態情報（Ｄ、Ｉ、Ｂ）を検出すること等が不要となり、通話品質監視装置３８を小規模化すること等が可能であるとともに、得られる通話品質指標の信頼性が向上する可能性がある。
【０１２２】
（Ｃ−２）第３の実施形態の効果
本実施形態によれば、第１の実施形態の効果と同等な効果を得ることができる。
【０１２３】
加えて、本実施形態では、通話品質監視装置を小規模化し、得られる通話品質指標の信頼性が向上することが期待できる。
【０１２４】
また、本実施形態では、ＩＴＵ−Ｔ標準のＰ．８６１を用いることにより、高い再現性を保ちながら、人間の主観的な尺度で通話品質指標を得ることが可能となる。
【０１２５】
（Ｄ）第４の実施形態
以下では、本実施形態が第３の実施形態と相違する点についてのみ説明する。
【０１２６】
本実施形態では、パケット送信装置で行われた圧縮符号化およびそれに対応してパケット受信装置で行われる復号にともなう通話品質の劣化をも評価することを特徴とする。
【０１２７】
（Ｄ−１）第４の実施形態の構成および動作
本実施形態の通話品質監視システム４０の構成を図５に示す。
【０１２８】
図５において、当該通話品質監視システム４０は、パケット送信装置４１と、ネットワーク３７と、パケット受信装置（通話品質監視装置）４２とを備えている。
【０１２９】
図５中で図３と同じ符号を付与した構成部分３７、１０２，３０１、３０３および信号ＳＩ、ＰＩ、ＰＯ、Ｓの機能は、図３と同じである。
【０１３０】
図５に示すように本実施形態のパケット送信装置４１は、音声符号化回路４０５と、リファレンス音声送信回路４０７とを備えている。
【０１３１】
このうち音声符号化回路４０５は、基本的に第３の実施形態の音声符号化回路３０５と同じ機能を備えているが、入力音声データＳＩを符号化（圧縮符号化）して出力するのは、音声パケットＰＩだけであり、前記音声パケットＰＲの出力は行わない。
【０１３２】
また、当該パケット送信装置４１内のリファレンス音声送信回路４０７は、当該入力音声データＳＩを符号化（圧縮符号化）することなく音声パケットＳＴに収容してネットワーク３７に出力する部分である。
【０１３３】
ただし、ネットワーク３７上を伝送されるとき、音声パケットＰＩは品質非保証型のプロトコルにしたがって伝送され、音声パケットＳＴは品質保証型のプロトコルにしたがって伝送される。
【０１３４】
一方、ネットワーク３７を介してこれらの音声パケットＰＩ、ＳＴを受信するパケット受信装置４２は、音声パケット調整回路３０１と、音声復号回路１０２と、音声蓄積回路４０６と、通話品質計算回路３０３とを備えている。
【０１３５】
このうち第３の実施形態と相違する音声蓄積回路４０６は、基本的には第３の実施形態の音声蓄積回路３０６に対応した動作を行うが、ネットワーク３７を介して受信した音声パケットＳＴをＬ×Ｔ秒分蓄積し、蓄積が完了するとリファレンス音声信号ＳＲ１として出力する部分である。リファレンス音声信号ＳＲ１は、符号化および復号を経ることなく得られる音声信号である点で、前記リファレンス（復号）音声信号ＳＲと相違する。
【０１３６】
音声パケットＳＴには圧縮符号化していない音声データＳＩが収容されているため、圧縮符号化した音声データＳＩを収容している音声パケットＰＩが１つ受信される期間内に、例えばＲ個（このＲは、音声符号化回路４０５で実行される圧縮符号化の圧縮率に依存する値で、一例として数十個程度であってよい）の音声パケットＳＴが受信される。
【０１３７】
したがって音声蓄積回路４０６に蓄積するＬ×Ｔ秒分の音声パケットＳＴの数は、Ｒ×Ｌ個となる。
【０１３８】
本実施形態では、通話品質計算回路３０３に入力される音声信号Ｓは、パケット送信装置４１において圧縮符号化され、パケット受信装置４２において復号（解凍）されることによって得られた音声信号であるのに対し、リファレンス音声信号ＳＲのほうは、パケット送信装置４１では圧縮符号化されず、パケット受信装置４２では復号されていない。
【０１３９】
これは、第３の実施形態の通話品質計算回路３０３に入力される２つの音声信号ＳおよびＳＲが、ともに圧縮符号化と復号を施されて得られたものであることと相違する。
【０１４０】
したがって、本実施形態では、上述した非可逆圧縮（圧縮符号化）とそれに対応する解凍（復号）による情報の欠落が、通話音声品質に与える影響をも加味して通話品質指標Ｅを得ることが可能である。
【０１４１】
（Ｄ−２）第４の実施形態の効果
本実施形態によれば、第３の実施形態の効果と同等な効果が得られる。
【０１４２】
加えて、本実施形態によれば、音声符復号による品質劣化（音声データの符号化とそれに対応する復号による品質劣化）も含んだ通話音声品質が観測可能となる。
【０１４３】
（Ｅ）第５の実施形態
以下では、本実施形態が第１、第４の実施形態と相違する点についてのみ説明する。
【０１４４】
本実施形態は主としてパケット受信装置側の処理によって通話品質評価を実行する点では第１の実施形態に類似しているが、音声符復号による品質劣化も含んだ通話品質評価を実行する点では第４の実施形態と類似している。
【０１４５】
（Ｅ−１）第５の実施形態の構成および動作
本実施形態の通話品質監視システム４５の構成を図６に示す。
【０１４６】
図６において、当該通話品質監視システム４５は、ネットワーク１１と、パケット受信装置（通話品質監視装置）４６とを備えている。
【０１４７】
図６中で図３または図５と同じ符号を付与した構成部分１１、１０２，３０３および信号ＰＩ、ＰＯ、Ｓ、ＳＲ１の機能は、図３または図５と同じである。
【０１４８】
図６に示すように本実施形態のパケット受信装置４６は、音声パケット調整回路５０１と、音声復号回路１０２と、リファレンス音声発生回路５０３と、リファレンス音声符号化回路５０４と、ネットワーク模擬回路５０５と、リファレンス音声復号回路５０６と、通話品質計算回路３０３とを備えている。
【０１４９】
このうち音声パケット調整回路５０１は基本的には第１の実施形態の音声パケット調整回路１０１と同じ機能を備えているが、受信状態情報として挿入数Ｉの替わりに代替パターン情報ＤＴを出力し、欠落数Ｄの替わりに欠落パターン情報ＩＴを出力する部分である。
【０１５０】
当該音声パケット調整回路５０１の内部構成例を図１４に示す。
【０１５１】
(Ｅ−１−１）音声パケット調整回路の内部構成
図１４において、音声パケット調整回路５０１は、欠落検査部２０と、書き込み部４７と、読み出し部４８と、読み出し処理部２４と、受信状態検出部４９とを備えている。
【０１５２】
図１４中で図１３と同じ符号を付与した各構成部分２０，２２，２４，２８および各信号等Ｅ１、Ｅ４、Ｅ６、ＰＰ、Ｔ、Ｑ１の機能は、図１３と同一である。
【０１５３】
図１４に示す書き込み部４７は基本的に前記書き込み部２１と同じ機能を備えているが、検出信号Ｅ２を出力する機能を備えていない点だけが相違する。
【０１５４】
また、読み出し部４８は基本的に前記読み出し部２３と同じ機能を備えているが、検出信号Ｅ３を出力する機能を備えていない点だけが相違する。
【０１５５】
さらに周期発生部５０も基本的に前記周期発生部２７と同じ機能を備えているが、第１の実施形態で式（１）に代入する各数値Ｄ、Ｉ、Ｂを確定するために必要であった監視周期ＴＥは、本実施形態の少なくとも音声パケット調整回路５０１内では不要である（ただし、例えば通話品質計算回路３０３などは監視周期ＴＥ単位で動作して、時々刻々と変動する通信音声品質に対応した通話品質指標Ｅをリアルタイムで出力するようにしてよい）ので、当該周期発生部５０が発生する周期は、復号タイミングＴだけである。
【０１５６】
ただし復号タイミングＴをＮ個まとめた周期としての監視周期ＴＥの概念は、本実施形態にも適用することはでき、第１の実施形態等との比較にも便利であるので、本実施形態の説明にも使用する。
【０１５７】
図１４の受信状態検出部４９は、前記検出信号Ｅ１とＥ４の供給を受ける部分で、例えば、図７に示すような代替パターン情報ＩＴと、図８に示すような欠落パターン情報ＤＴとを出力する。
【０１５８】
図７において、０は代替音声パケットＰＰを挿入していないことを示し、１は挿入したことを示す。
【０１５９】
したがって受信状態検出部４９は、読み出し処理部２４から供給を受ける検出信号Ｅ４が非能動状態のときは０を出力し、能動状態に切り替わるたびに１を出力することになる。
【０１６０】
このような代替パターン情報ＩＴの生成は、代替音声パケットＰＰの挿入との時間のずれがほとんどなく、ほぼリアルタイムで実行することが可能である。
【０１６１】
また、図８において、０は音声パケットＰＩの欠落を検出していないことを示し、１は検出したことを示す。
【０１６２】
したがって受信状態検出部４９は、欠落検査部２０から供給を受ける検出信号Ｅ１が非能動状態のときは０を出力し、能動状態に切り替わるたびに１を出力することになる。
【０１６３】
欠落検査部２０がどのような手段で音声パケットＰＩの欠落を検出するかにもよるが、上述したようにパケット送信装置側で付与された連続番号をもとに検出する場合には、例えば図９（Ａ）、（Ｂ）に示すように音声パケットＰ４、Ｐ５の欠落を検出できるのは早くても音声パケットＰ６が受信されたときであるので、この程度の検出タイミングの遅れは許容できるように受信状態検出部４９を構成しておく必要がある。ただしこのような検出タイミングの遅れは、通常、数パケット程度におさまると考えられるので、図７〜９に示した監視周期ＴＥほど長時間の遅れを見込んでおく必要はない。
【０１６４】
代替パターン情報ＩＴと欠落パターン情報ＤＴは時間的なずれが発生しないように同期して出力する必要があるので、受信状態検出部４９は、同期発生部５０から供給を受ける復号タイミングＴを利用し、検出タイミングが遅れる可能性のある欠落パターン情報ＤＴに合わせて、ＤＴとＩＴを出力するようにするとよい。
【０１６５】
一方、前記リファレンス音声発生回路５０３は、所定の音声データＳＲ１を発生する回路である。当該音声データＳＲ１は直接、通話品質計算回路３０３に供給されるほか、リファレンス音声符号化回路５０４にも供給される。
【０１６６】
リファレンス音声符号化回路５０４は、図示しないパケット送信装置で行われる符号化（圧縮符号化）と同じ符号化方式で当該音声データＳＲ１に対して符号化を施して音声パケットＰＢに収容し、当該音声パケットＰＢをネットワーク模擬回路５０５に出力する回路である。
【０１６７】
ネットワーク模擬回路５０５は、欠落パターン情報ＤＴと挿入パターン情報ＩＴを利用して、ネットワーク１１で音声パケットＰＩを伝送する際に発生したパケット欠落とパケット遅延と同等な状態を仮想的に作り出す回路である。
【０１６８】
したがって、欠落も遅延もない理想的な状態の音声パケットＰＢの系列は、ネットワーク模擬回路５０５の処理を受けることによって、音声パケットＰＩの系列がネットワーク１１上を伝送されるときに受けたものと同等な欠落や遅延を受け、音声パケットＰＡの系列として出力される。
【０１６９】
音声パケットＰＢの系列が例えば図９（Ａ）に示すように音声パケットＰ１〜Ｐ１０から構成されるものであり、欠落パターン情報ＤＴが図９（Ｂ）に示す通りである場合、図９（Ｂ）の１に対応する時間位置の音声パケットＰ４、Ｐ５、Ｐ９が、当該ネットワーク模擬回路５０５によって除去されるから、音声パケットＰ１、Ｐ２、Ｐ３、Ｐ４、Ｐ５、Ｐ６、Ｐ７、Ｐ８、Ｐ９、Ｐ１０から構成された監視周期ＴＥ内の音声パケットＰＢの系列は、図９（Ｃ）に示すように音声パケットＰ１、Ｐ２、Ｐ３、Ｐ６、Ｐ７、Ｐ８、Ｐ１０、Ｐ１１、Ｐ１２、Ｐ１３から構成される系列に変換される。
【０１７０】
このときもしも当該監視周期ＴＥ内の代替パターン情報ＩＴがすべて０であれば、この音声パケットＰ１、Ｐ２、Ｐ３、Ｐ６、Ｐ７、Ｐ８、Ｐ１０、Ｐ１１、Ｐ１２、Ｐ１３から構成される系列が、音声パケットＰＡの系列としてネットワーク模擬回路５０５から出力されることになる。
【０１７１】
しかし代替パターン情報ＩＴが図９（Ｄ）に示す通りである場合には、音声パケットＰ１〜Ｐ１０の系列上の図９（Ｄ）の１に対応する時間位置には、代替音声パケットＰＰが挿入されるから、図９（Ｃ）の系列は、図９(Ｅ）に示すように、音声パケットＰ１、×、Ｐ２、Ｐ３、×、×、Ｐ６、Ｐ７、Ｐ８、Ｐ１０に変換され、当該系列が音声パケットＰＡの系列としてリファレンス音声復号回路５０６に供給されることになる。
【０１７２】
ここで、記号「×」は、挿入された代替音声パケットＰＰを示している。
【０１７３】
リファレンス音声復号回路５０６は、リファレンス音声符号化回路５０４で行われる符号化に対応する復号を施す回路であって、処理対象が音声パケットＰＯではなく音声パケットＰＡである点を除き、前記音声復号回路１０２と同じ動作を行う回路である。
【０１７４】
当該リファレンス音声復号回路５０６から出力された復号音声信号ＳＴ１は通話品質計算回路３０３に供給され、当該通話品質計算回路３０３は復号音声信号ＳＴ１と音声信号ＳＲ１を比較して、前記ＩＴＵ−Ｔ標準のＰ．８６１にしたがって通話品質指標Ｅを求めて出力する。このとき音声信号ＳＲ１は参照用音声信号として機能し、復号音声信号ＳＴ１は被評価用音声信号として機能する。
【０１７５】
これにより本実施形態では、音声符復号による品質劣化も加味した通話品質指標Ｅを求めることができる。
【０１７６】
（Ｅ−２）第５の実施形態の効果
本実施形態によれば、第１の実施形態の効果および第４の実施形態の効果と同等な効果を得ることができる。
【０１７７】
加えて、本実施形態では、パケット送信装置に手を加えること無く、パケット受信装置の機能のみによって、これらの効果を得ることが可能である。
【０１７８】
（Ｆ）第６の実施形態
以下では、本実施形態が第５の実施形態と相違する点についてのみ説明する。
【０１７９】
本実施形態が第５の実施形態と相違するのは、音声符復号による品質劣化を加味しない音声品質評価を実行する点にかぎられる。
【０１８０】
（Ｆ−１）第６の実施形態の構成および動作
本実施形態の通話品質監視システム６０の構成を図１０に示す。
【０１８１】
図１０において、当該通話品質監視システム６０は、ネットワーク１１と、パケット受信装置（通話品質監視装置）６１とを備えている。
【０１８２】
図１０中で図６と同じ符号を付与した構成部分１１、１０２，３０３、５０１，５０３，５０４，５０５，５０６および信号ＰＩ、ＰＯ、Ｓ、ＳＲ１、ＰＢ、ＰＡ、ＳＴ１の機能は、図６と同じである。
【０１８３】
したがって本実施形態が第５の実施形態と相違するのは、ノーマル音声復号回路６０７に関連する部分にかぎられる。
【０１８４】
ただしノーマル音声復号回路６０７自体の機能は、音声復号回路１０２やリファレンス音声復号回路５０６と同じである。
【０１８５】
前記リファレンス音声符号化回路５０４で圧縮符号化された音声データを収容している音声パケットＰＢの供給を受ける当該ノーマル音声復号回路６０７は、当該圧縮符号化された音声データを復号（解凍）して復号音声信号ＳＬを生成し出力する部分である。
【０１８６】
この復号音声信号ＳＬは、参照用音声信号として前記通話品質計算回路３０３に供給される。
【０１８７】
したがって本実施形態では参照用音声信号も、被評価用音声信号ＳＴ１と同様に音声符復号による品質劣化を受けており、通話品質計算回路３０３で当該参照用音声信号と被評価用音声信号を比較して得られる通話品質指標Ｅには、音声符復号による品質劣化の影響は含まれていない。
【０１８８】
（Ｆ−２）第６の実施形態の効果
本実施形態によれば、第３の実施形態の効果と同等な効果を得ることができる。
【０１８９】
ただし本実施形態では、当該効果を、主としてパケット受信装置側の機能のみによって実現することが可能である。
【０１９０】
（Ｇ）第７の実施形態
以下では、本実施形態が第３、第４、第５の実施形態と相違する点についてのみ説明する。
【０１９１】
本実施形態は、品質非保証型のプロトコルと品質保証型のプロトコルを実行し得るネットワーク３７を用いる点では第３の実施形態と類似しており、ネットワーク模擬回路５０５を利用する点で第５の実施形態と類似している。
【０１９２】
ただし、主としてパケット送信装置側の機能に基づいて通話音声品質評価を実行する点は、これまでの第１〜第６の実施形態にはみられない特徴である。
【０１９３】
（Ｇ−１）第７の実施形態の構成および動作
本実施形態の通話品質監視システム６５の構成を図１１に示す。
【０１９４】
図１１において、当該通話品質監視システム６５は、ネットワーク３７と、パケット送信装置（通話品質監視装置）６６と、パケット受信装置６７とを備えている。
【０１９５】
このうちパケット送信装置６６は、音声符号化回路４０５と、ネットワーク模擬回路５０５と、ローカル音声復号回路７０６と、通話品質計算回路３０３を備えている。
【０１９６】
また、パケット受信装置６７は、音声パケット調整回路５０１と、音声復号回路１０２を備えている。
【０１９７】
図１１中で図３、図５、図６と同じ符号を付与した構成部分３７、１０２，３０３、４０５、５０１，５０５および信号ＳＩ、ＰＩ、ＰＯ、Ｓ、ＰＡ、ＳＴ１、ＤＴ、ＩＴの機能は、図３、図６と同じである。
【０１９８】
ただし本実施形態では、通話品質計算回路３０３およびネットワーク模擬回路５０５は、パケット受信装置６７ではなくパケット送信装置６６側に搭載されている。
【０１９９】
また、音声パケット調整回路５０１は欠落パターン情報ＤＴと挿入パターン情報ＩＴを出力する点では第５の実施形態と同じであるが、当該ＤＴとＩＴはネットワーク３７上を伝送され、パケット送信装置６６内のネットワーク模擬回路５０５に受信される必要があるので、パケットに収容して伝送されることになり、音声パケット調整回路５０１はＤＴ、ＩＴをパケットに収容してネットワーク３７に送出し、パケット送信装置６６へ返す機能を備えることを要する。
【０２００】
一方、ネットワーク模擬回路５０５のほうでも、当該パケットを受信してＤＴ、ＩＴを取り出す機能を備える必要がある。
【０２０１】
また、ネットワーク３７は品質非保証型のプロトコルと品質保証型のプロトコルを実行可能なネットワークである点で第３の実施形態のネットワーク３７と同じであるが、当該品質保証型のプロトコルによって伝送されるのは、前記ＤＴ、ＩＴを収容しているパケットである。
【０２０２】
本実施形態において、パケット送信装置６６に搭載されたネットワーク模擬回路５０５は、圧縮符号化した音声データを収容している音声パケットＰＩの系列に対し、欠落パターン情報ＤＴや挿入パターン情報ＩＴに応じた操作（例えば図９（Ａ）〜(Ｅ）に示すような操作）を行って音声パケットＰＡの系列を生成し、出力する。
【０２０３】
当該音声パケットＰＡを受け取るローカル音声復号回路７０６は、音声符号化回路４０５で実行される圧縮符号化に対応した復号（解凍）を行い、復号音声信号ＳＴ１を出力する回路で、その機能自体は、パケット受信装置６７に搭載されている前記音声復号回路１０２とまったく同じである。
【０２０４】
したがって本実施形態の通話品質計算回路３０３は、前記音声データＳＩを参照用音声信号とし、当該復号音声信号ＳＴ１を被評価用音声信号として、通話品質評価を実行し、通話品質指標Ｅを求める。
【０２０５】
また、上述したように、インターネットを介して双方向通信を行う場合、往路と復路の通信には同一のルートが使用され当該ルート上に存在する同一のルータが音声パケットの転送を行うことになるので、パケットの欠落や遅延がルータ内のスイッチの処理能力に起因して発生したもの等である場合にはパケット受信装置側における通話品質評価結果（通話品質指標Ｅ）は、おおむねパケット送信装置側における通話品質評価結果に対応したものになることが期待されるが、厳密には、往路と復路では、同一ルータ内の異なるポートが使用されるので、パケット欠落や遅延がポートの処理能力に起因して発生したもの等である場合には、往路と復路で通話品質評価結果が異なる値になることも多い。
【０２０６】
このような場合、音声パケットＰＩを送信したパケット送信装置側では当該音声パケットをネットワークを介して受信するパケット受信装置における通話品質指標を知ることができなかったが、本実施形態ではそれが可能になる。
【０２０７】
（Ｇ−２）第７の実施形態の効果
本実施形態によれば、第４、第５の実施形態の効果とほぼ同等な効果をパケット送信装置（６６）側で得ることができる。
【０２０８】
したがって、音声パケットの送信方向と受信方向の通話品質劣化度合いが異なる場合でも、一方のパケット通信装置側で対向する他方のパケット通信装置側における通話品質劣化度合いを検出することが可能になる。
【０２０９】
また、本実施形態と第１〜第６の実施形態のいずれかを併用することにより、対向する一方のパケット通信装置において、自身が音声パケットを受信する受信方向の通話品質指標だけでなく、自身が音声パケットを送信する送信方向の通話品質指標を得ることも可能になる。
【０２１０】
（Ｈ）第８の実施形態
以下では、本実施形態が第７の実施形態と相違する点についてのみ説明する。
【０２１１】
本実施形態が第７の実施形態と相違する点は、音声符復号による品質劣化を含まない通話品質指標を得る点だけである。
【０２１２】
（Ｈ−１）第８の実施形態の構成および動作
本実施形態の通話品質監視システム７０の構成を図１２に示す。
【０２１３】
図１２において、当該通話品質監視システム７０は、ネットワーク３７と、パケット送信装置（通話品質監視装置）７１と、パケット受信装置６７とを備えている。
【０２１４】
このうちパケット送信装置７１は、音声符号化回路４０５と、ネットワーク模擬回路５０５と、ローカル音声復号回路７０６と、ローカルリファレンス音声復号回路８０７と、通話品質計算回路３０３を備えている。
【０２１５】
また、パケット受信装置６７は、音声パケット調整回路５０１と、音声復号回路１０２を備えている。
【０２１６】
図１２中で図１１と同じ符号を付与した構成部分３７、６７、１０２，３０３、４０５、５０１，５０５、７０６および信号ＳＩ、ＰＩ、ＰＯ、Ｓ、ＰＡ、ＳＴ１、ＤＴ、ＩＴの機能は、図１１と同じである。
【０２１７】
したがって本実施形態が第７の実施形態と相違するのは、ローカルリファレンス音声復号回路８０７に関連する部分にかぎられる。
【０２１８】
当該ローカルリファレンス音声復号回路８０７は、前記音声符号化回路４０５が出力した音声パケットＰＩが収容している圧縮符号化された音声データに対して復号を施してリファレンス復号音声信号ＳＲを生成し、出力する回路で、その機能はローカル音声復号回路７０６と同じである。
【０２１９】
このため、当該リファレンス復号音声信号ＳＲは、図３においてリファレンス音声復号回路３０４が出力したリファレンス音声信号ＳＲと同じ信号であってよい。
【０２２０】
当該ローカルリファレンス音声復号回路８０７からリファレンス音声信号ＳＲを受け取り、ローカル音声復号回路７０６から前記復号音声信号ＳＴ１を受け取る本実施形態の通話品質計算回路３０３は、当該リファレンス復号音声信号ＳＩを参照用音声信号とし、復号音声信号ＳＴ１を被評価用音声信号として、通話品質評価を実行する。したがって当該通話品質計算回路３０３から出力される通話品質指標Ｅは、音声符復号による品質劣化を加味しない値をとることになる。
【０２２１】
（Ｇ−２）第８の実施形態の効果
本実施形態によれば、第７の実施形態の効果とほぼ同等な効果が得られるが、求める通話品質指標（Ｅ）には音声符復号による品質劣化を含まないため、ネットワーク上で発生するパケット欠落や遅延のみの影響に対応して本来、パケット受信装置側でのみ観測される品質劣化が、パケット送信装置側においても観測可能となる。
【０２２２】
(Ｉ）他の実施形態
なお、以上の説明では第１〜第８の実施形態は相互に独立した通話品質監視システムであるものとしたが、あらゆる組合せで、各実施形態の機能を１つの通話品質監視システムのなかにまとめることも可能である。
【０２２３】
例えば、第５の実施形態と第６の実施形態を組み合わせて１つの通話品質監視システムを構築した場合には、当該通話品質監視システムの第１の動作モードでは前記音声データＳＲ１を参照用音声信号として通話品質計算回路３０３に供給するようにし、第２の動作モードでは復号音声信号ＳＬを参照用音声信号として当該通話品質計算回路３０３に供給するようにすれば、第１の動作モードでは音声符復号による品質劣化を加味した通話品質評価を行うことができ、第２の動作モードでは、音声符復号による品質劣化を加味しない通話品質評価を行うこが可能になる。
【０２２４】
なお、第１〜第８の実施形態において、ＦＩＦＯメモリ２２内に蓄積することができる音声パケットＰＩのキュー（待ち行列）は、上述したように１つにかぎらず複数としてもかまわない。
【０２２５】
２つのキューＱ１、Ｑ２（例えば、Ｑ１が音声パケットで、Ｑ２が画像パケット）をＦＩＦＯメモリ２２内に同時に蓄積することができるものとした場合、欠落検査部２０、書き込み部２１、読み出し部２３、読み出し処理部２４、受信状態検出部２５、減算部２６などは、各キューＱ１、Ｑ２を識別して各キューごとに機能することになる。
【０２２６】
また、第１〜第８の実施形態では、圧縮、解凍によって情報の欠落が発生し得る非可逆圧縮を前提に説明したが、圧縮、解凍によって情報の欠落が発生しない可逆圧縮を利用するようにしてもかまわない。ただし可逆圧縮を用いる場合には、音声符復号による品質劣化自体がないのであるから、求める通話品質指標に当該品質劣化を含むか否かを区別する必要がなくなる。
【０２２７】
なお、第２の実施形態で用いたテーブルの機能は、どのようなプログラミング言語を用いて記述してもよく、論理回路を利用してハードウエア的に実現することも可能である。
【０２２８】
また、第１〜第８の実施形態では、音声パケット（ＰＩなど）には会話音声に対応するデータを収容するものとしたが、本発明は、音楽などの音声に対応するデータを収容した音声パケットを一方向に通信する場合にも適用することができる。
【０２２９】
【発明の効果】
以上に説明したように、本発明によれば、音声パケット通信に関する客観的な品質評価を実行することが可能になる。
【図面の簡単な説明】
【図１】第１の実施形態に係る通話品質監視システムの主要部の構成を示す概略図である。
【図２】第２の実施形態に係る通話品質監視システムの主要部の構成を示す概略図である。
【図３】第３の実施形態に係る通話品質監視システムの主要部の構成を示す概略図である。
【図４】第３の実施形態の動作説明図である。
【図５】第４の実施形態に係る通話品質監視システムの主要部の構成を示す概略図である。
【図６】第５の実施形態に係る通話品質監視システムの主要部の構成を示す概略図である。
【図７】実施形態の動作説明図である。
【図８】実施形態の動作説明図である。
【図９】実施形態の動作説明図である。
【図１０】第６の実施形態に係る通話品質監視システムの主要部の構成を示す概略図である。
【図１１】第７の実施形態に係る通話品質監視システムの主要部の構成を示す概略図である。
【図１２】第８の実施形態に係る通話品質監視システムの主要部の構成を示す概略図である。
【図１３】実施形態で使用する音声パケット調整回路の構成例である。
【図１４】実施形態で使用する音声パケット調整回路の構成例である。
【符号の説明】
１０，３０，３５，４０，４５，６０，６５，７０…通話品質監視システム、１１，３７…ネットワーク、１２，３２，３８，４２，４６、６１，６７…パケット受信装置、２０…欠落検査部、２１…書き込み部、２２…ＦＩＦＯメモリ、２３…読み出し部、２４…読み出し処理部、２５，４９…受信状態検出部、２６…減算部、２７、５０…周期発生部、２８…代替データ生成部、３６，４１，６６，７１…パケット送信装置、１０１、３０１，５０１…音声パケット調整回路、１０２…音声復号回路、１０３，２０３，３０３…通話品質計算回路、３０５…音声符号化回路、５０５…ネットワーク模擬回路、ＰＩ、ＰＢ、ＰＲ…音声パケット、Ｄ…欠落数、Ｉ…挿入数、Ｂ…蓄積数、ＤＴ…欠落パターン情報、ＩＴ…挿入パターン情報、Ｅ１〜Ｅ６…検出信号、Ｅ…通話品質指標。
【図１】
0004110733.tif 000002
【図２】
0004110733.tif 000003
【図３】
0004110733.tif 000004
【図４】
0004110733.tif 000005
【図５】
0004110733.tif 000006
【図６】
0004110733.tif 000007
【図７】
0004110733.tif 000008
【図８】
0004110733.tif 000009
【図９】
0004110733.tif 000010
【図１０】
0004110733.tif 000011
【図１１】
0004110733.tif 000012
【図１２】
0004110733.tif 000013
【図１３】
0004110733.tif 000014
【図１４】
0004110733.tif 000015